(57)【要約】【課題】長手方向の端部付近の剛性を確保するとともに、コンクリートが漏れ出すのを防ぐための別部材を取り付けることなく、打設時にデッキプレートの長手方向の端部からコンクリートが漏れ出すのを防ぐことが可能なデッキプレート及びその製造方法を提供する。【解決手段】鋼板から折り曲げられて平面視で長方形状に成形されたコンクリートスラブ用のデッキプレート１において、コンクリートスラブの下面を支持する長方形平板状のスラブ支持部２と、このスラブ支持部２の片面から面外方向に向け長手方向に沿って突設された補強リブ３と、を備え、補強リブ３に、面外方向へ立ち上がる立上部３０と、この立上部３０の先端に形成された断面三角形状の補強部３１と、を設けるとともに、補強部３１の長手方向の端部３１ａをＹ字状に閉塞する。【選択図】図２
2019116766.tif 000002
【特許請求の範囲】
【請求項１】
鋼板から折り曲げられて平面視で長方形状に成形されたコンクリートスラブ用のデッキプレートであって、
コンクリートスラブの下面を支持する長方形平板状のスラブ支持部と、このスラブ支持部の片面から面外方向に向け長手方向に沿って突設された補強リブと、が備えられ、
前記補強リブは、面外方向へ立ち上がる立上部と、この立上部の先端に形成された断面三角形状の補強部と、が設けられているとともに、
前記補強部は、長手方向の端部がＹ字状に閉塞されていること
を特徴とするデッキプレート。
【請求項２】
前記補強部は、長手方向の端部がデッキプレートの端部切断時に同時に押し潰されることでＹ字状に閉塞されていること
を特徴とする請求項１に記載のデッキプレート。
【請求項３】
前記補強部は、長手方向の端部が、端から水平距離で１００ｍｍ以内の範囲のみ押し潰されていること
を特徴とする請求項１又は２に記載のデッキプレート。
【請求項４】
前記スラブ支持部の長手両側の縁に沿って左右一対の係合リブが形成され、
これらの係合リブには、前記スラブ支持部の面外方向に立ち上がる平板状のウェブ部と、このウェブ部の先端から面外の一方向に張り出すフランジ部と、がそれぞれ設けられ、
前記フランジ部の各フランジ部は、各ウェブ部に対して同一方向に張り出しているとともに、面外方向に傾斜して短手方向にずれること防止する折り返し部が形成されていること
を特徴とする請求項１ないし３のいずれかに記載のデッキプレート。
【請求項５】
前記スラブ支持部の長手一側の縁に沿ってさらに長手方向の端部がＹ字状に閉塞された前記補強リブが形成されているとともに、前記スラブ支持部の長手両側の縁に沿って左右一対の係合爪が形成されていること
を特徴とする請求項１ないし３のいずれかに記載のデッキプレート。
【請求項６】
コンクリートスラブの下面を支持する長方形平板状のスラブ支持部と、このスラブ支持部の片面から面外方向に向け長手方向に沿って突設された断面三角形状の補強部と、を有する補強リブを、備えたデッキプレートを製造するデッキプレートの製造方法であって、
鋼板を折り曲げ加工して前記補強リブを形成する折曲工程と、
この折曲工程後に、デッキプレートを所定の長さに切断する切断工程と、を有し、
この切断工程では、切断と同時にデッキプレートを切断する切断刃と一緒に可動する治具により前記補強リブの長手方向の端部を押圧してＹ字状に閉塞すること
を特徴とするデッキプレートの製造方法。
【発明の詳細な説明】
【技術分野】
【０００１】
本発明は、コンクリート打設時には型枠として機能し、コンクリート硬化後はコンクリートと一体になって引張応力を負担する合成スラブ用デッキプレート及びその製造方法に関するものである。
【背景技術】
【０００２】
従来、この種の合成スラブ用デッキプレートでは、コンクリート打設時にデッキプレートの長手方向の端部からコンクリートが漏れ出すのを防ぐため、小口塞ぎ部材をデッキプレートの端部に嵌め込むことが必要であった。
【０００３】
例えば、特許文献１には、敷設部材２上に敷設されたデッキプレート１の端部開口を覆うように被着させられる平板状の閉塞プレート部５と、この閉塞プレート部５の縁部ないし被着面から延出し、デッキプレート１の縁部近傍に弾性的に当接して閉塞プレート部５を被着状態に保持する係着部６とを備えたデッキプレートの端部開口閉塞具が開示されている（特許文献１の特許請求の範囲の請求項１、明細書の段落［００３８］〜［００４７］、図面の図１、図７等参照）。
【０００４】
しかし、特許文献１に記載の端部開口閉塞具のように、デッキプレートの端部を塞ぐことは手間であり、デッキプレートの設置費用が嵩むうえ、デッキプレートとは別に端部開口閉塞具が必要なことから材料費も嵩んでしまうという問題があった。
【０００５】
このような問題を解決するべく、特許文献２には、本願出願人が提案した、断面三角形状の補強リブがデッキプレート幅方向両側から押し潰されてＩ字状に閉塞されたデッキプレートが開示されている（特許文献２の特許請求の範囲の請求項１、明細書の段落［００２８］〜［００３６］、図面の図１、図３、図４等参照）。
【０００６】
この特許文献２に記載のデッキプレートは、特許文献１に記載の端部開口閉塞具のような小口塞ぎは必要なくなるという顕著な作用効果を奏する。しかし、図１５に示すように、補強リブをデッキプレート幅方向両側から押し潰してＩ字状に閉塞するには、デッキプレートの切断工程とは別に、断面三角形状の補強リブを両側から挟み込んで押し潰す工程が必要であり、製造工程及び製造時間が増えて製造コストが嵩むという問題があった。
【０００７】
また、デッキプレートとしては、上面が概ね平ら（フラット）で解体を要さない打込み型枠として使用されるが、構造部材として引張り応力を負担するものとは算定されないフラットデッキ用デッキプレートも知られている。
【０００８】
この種のフラットデッキ用デッキプレートは、一般に、打設時にデッキプレートの長手方向の端部からコンクリートが漏れ出すのを防ぐためエンドクローズ加工が施される。例えば、特許文献３には、本願出願人が提案した、係合リブに切り欠き不要のエンドクローズ部を備えたデッキプレートが開示されている（特許文献３の特許請求の範囲の請求項１、明細書の段落［００５２］〜［００６７］、図面の図１、図３、図５〜図８等参照）。
【０００９】
特許文献３に記載のデッキプレートは、係合リブのエンドクローズ部を切り欠かなくてもデッキプレート同士の係合が可能となり、エンドクローズ部の事前の切り欠きが不要となるという顕著な作用効果を奏する。しかし、図１６に示すように、デッキプレートの長手方向の端部は、係合リブも補強リブも押し潰すため、非加工の場合と比べてエンドクローズ部の断面剛性が低下するという問題がある。
【先行技術文献】
【特許文献】
【００１０】
【特許文献１】特開２００１−５９３０５号公報
【特許文献２】特開２０１４−１９００７４号公報
【特許文献３】特開２０１７−１５０１３２号公報
【発明の概要】
【発明が解決しようとする課題】
【００１１】
そこで、本発明は、前述した問題に鑑みて案出されたものであり、その目的とするところは、長手方向の端部付近の剛性を確保するとともに、コンクリートの打設時にデッキプレートの長手方向の端部からコンクリートが漏れ出すのを防ぐことが可能なデッキプレート及びその製造方法を提供することにある。
【課題を解決するための手段】
【００１２】
第１発明に係るデッキプレートは、鋼板から折り曲げられて平面視で長方形状に成形されたコンクリートスラブ用のデッキプレートであって、コンクリートスラブの下面を支持する長方形平板状のスラブ支持部と、このスラブ支持部の片面から面外方向に向け長手方向に沿って突設された補強リブと、が備えられ、前記補強リブは、面外方向へ立ち上がる立上部と、この立上部の先端に形成された断面三角形状の補強部と、が設けられているとともに、前記補強部は、長手方向の端部がＹ字状に閉塞されていることを特徴とする。
【００１３】
第２発明に係るデッキプレートは、第１発明において、前記補強部は、長手方向の端部がデッキプレートの端部切断時に同時に押し潰されることでＹ字状に閉塞されていることを特徴とする。
【００１４】
第３発明に係るデッキプレートは、第１発明又は第２発明において、前記補強部は、長手方向の端部が、端から水平距離で７０ｍｍ以内の範囲のみ押し潰されていることを特徴とする。
【００１５】
第４発明に係るデッキプレートは、第１発明ないし第３発明のいずれかの発明において、前記スラブ支持部の長手両側の縁に沿って左右一対の係合リブが形成され、これらの係合リブには、前記スラブ支持部の面外方向に立ち上がる平板状のウェブ部と、このウェブ部の先端から面外の一方向に張り出すフランジ部と、がそれぞれ設けられ、前記フランジ部の各フランジ部は、各ウェブ部に対して同一方向に張り出しているとともに、面外方向に傾斜して短手方向にずれることを防止する折り返し部が形成されていることを特徴とする。
【００１６】
第５発明に係るデッキプレートは、第１発明ないし第３発明のいずれかの発明において、前記スラブ支持部の長手一側の縁に沿ってさらに長手方向の端部がＹ字状に閉塞された前記補強リブが形成されているとともに、前記スラブ支持部の長手両側の縁に沿って左右一対の係合爪が形成されていることを特徴とする。
【００１７】
第６発明に係るデッキプレートの製造方法は、コンクリートスラブの下面を支持する長方形平板状のスラブ支持部と、このスラブ支持部の片面から面外方向に向け長手方向に沿って突設された断面三角形状の補強部と、を有する補強リブを、備えたデッキプレートを製造するデッキプレートの製造方法であって、前記補強リブを形成する補強リブ形成工程と、この補強リブ形成工程後に、デッキプレートを平面視で長方形状に切断する切断工程とを、有し、この切断工程では、切断と同時にデッキプレートを切断する切断刃と一緒に可動する治具により前記補強リブの長手方向の端部を押圧してＹ字状に閉塞することを特徴とする。
【発明の効果】
【００１８】
第１発明〜第５発明によれば、Ｙ字状に閉塞することで閉塞部分の断面性能を殆ど低下させることなくデッキプレートの長手方向の端部付近の剛性を確保することができる。また、コンクリートが漏れ出すのを防ぐための別部材を取り付ける箇所数や部品点数を低減して、打設時に補強リブの長手方向の端部からコンクリートが漏れ出すのを防ぐことができる。このため、デッキプレートの材料コスト及びデッキプレートの施工コストを低減することができる。
【００１９】
特に、第２発明によれば、補強リブの補強部の押し潰しと、デッキプレートの切断が一度のプレス作業で行えることとなり、デッキプレートの製造コストを低減することができる。
【００２０】
特に、第３発明によれば、補強リブの押し潰しによるデッキプレートの断面性能の低下を極力抑えることができる。
【００２１】
特に、第４発明によれば、溶接やカシメなどの固定作業を行わずにデッキプレート同士の連結を容易且つ確実に行うことができ、施工の単純化による施工コストの低減を達成することもできる。
【００２２】
特に、第５発明によれば、従来の小口塞ぎ部材のようなコンクリートが漏れ出すのを防ぐための別部材を全く取り付ける必要がなくなる。このため、デッキプレートの材料コスト及びデッキプレートの施工コストを低減することができる。
【００２３】
第６発明によれば、長手方向の端部付近の剛性を確保するとともに、打設時にデッキプレートの長手方向の端部からコンクリートが漏れ出すのを防ぐことができるデッキプレートを製造することができる。それに加え、強リブの補強部の押し潰しと、デッキプレートの切断を一度のプレス工程で行えることとなり、製造工程の短時間化を達成してデッキプレートの製造コストを低減することができる。
【図面の簡単な説明】
【００２４】
【図１】本発明の第１実施形態に係るデッキプレートを示す斜視図である。
【図２】同上のデッキプレートの長手方向の一端部を拡大して示す部分拡大斜視図である。
【図３】同上のデッキプレートをＨ形鋼上に載置した状態を示す斜視図である。
【図４】図２のＡ−Ａ線端面図である。
【図５】図２のＢ−Ｂ線端面図である。
【図６】図２のＣ−Ｃ線端面図である。
【図７】同上のデッキプレートの補強リブを中間省略して示す側面図である。
【図８】同上のデッキプレートを中間省略して示す側面図である。
【図９】同上のデッキプレートの長手方向の一端部を拡大して示す部分拡大平面図である。
【図１０】本発明の第２実施形態に係るデッキプレートを示す斜視図である。
【図１１】同上のデッキプレートの長手方向の一端部を拡大して示す部分拡大斜視図である。
【図１２】図１１のＤ−Ｄ線端面図である。
【図１３】同上のデッキプレートを端部から長手方向に沿って見た正面図である。
【図１４】隣接するデッキプレート同士を連結する係合爪の係合部分を拡大して示す部分拡大断面図である。
【図１５】従来のデッキプレートにおいてエンドクローズ加工により左右からＩ字状に押し潰されて閉塞された補強リブを拡大して示す部分拡大断面図である。
【図１６】従来のデッキプレートにおいてエンドクローズ加工により上方から平らに押し潰されて閉塞された補強リブを拡大して示す部分拡大断面図である。
【発明を実施するための形態】
【００２５】
以下、本発明の実施形態に係るデッキプレートについて、図面を参照しながら詳細に説明する。
【００２６】
［第１実施形態］
先ず、図１〜図９を用いて、本発明の第１実施形態に係るデッキプレートについて説明する。本発明の第１実施形態に係るデッキプレート１は、建築物の床スラブや屋根スラブなどの構造物のコンクリートスラブを構築するため解体を要さない打込み型枠として用いられるコンクリートスラブ用のデッキプレートである。
【００２７】
図１は、本発明の実施形態に係るデッキプレート１を示す斜視図であり、図２は、そのデッキプレート１の長手方向の一端部を拡大して示す部分拡大斜視図である。また、図３は、そのデッキプレート１をＨ形鋼上に載置した状態を示す斜視図である。図３に示すように、このデッキプレート１は、Ｈ形鋼（形鋼）Ｈや型枠間に架け渡され、上面にコンクリートが打設されて使用され、硬化後はコンクリートと一体になって引張応力を負担する合成スラブ用デッキプレートである。
【００２８】
このデッキプレート１は、溶融亜鉛めっき鋼板（JIS G3302：SGCC,SGC340,SGH340）などの防錆処理が施された０．８ｍｍ〜１．６ｍｍ程度の鋼板からロール成形等により折り曲げられて、所定の長さの平面視で長方形状に成形されたデッキプレートである。なお、デッキプレート１の長さは、構築するコンクリートスラブの長さ、及び鋼板の厚さや用途によって相違するが、一般的には、０．８ｍ〜３．７ｍ程度の範囲の長さとなっている。
【００２９】
本実施形態に係るデッキプレート１は、図１〜図３に示すように、コンクリートスラブの下面を支持する長方形平板状のスラブ支持部２と、このスラブ支持部２の片面（図上の上面）から垂直（鉛直）に長手方向に沿って突設された補強リブ３と、スラブ支持部２の長手両側の縁に沿って形成された互いに係合し合う形状の左右一対の係合リブ４，５など、から構成されている。
【００３０】
なお、デッキプレート１は、合成スラブ用デッキプレートであるため、図１〜図３に示すように、デッキプレート１のリブ（補強リブ３、係合リブ４，５）が上を向いた状態でスラブ支持部２がＨ形鋼Ｈ上に載置される。
【００３１】
（スラブ支持部）
図１、図２に示すように、このデッキプレート１は、スラブ支持部２の中央に一条だけ補強リブ３が突設されており、スラブ支持部２は、この補強リブ３を境に第１スラブ支持部２１と、第２スラブ支持部２２に分割されている。勿論、補強リブ３は、複数条設けられていてもよく、スラブ支持部２も３以上に分割されていてもよい。
【００３２】
図４は、図２のＡ−Ａ線端面図であり、図５は、そのＢ−Ｂ線端面図、図６は、そのＣ−Ｃ線端面図である。図１〜６に示すように、スラブ支持部２は、第１スラブ支持部２１と第２スラブ支持部２２とが、補強リブ３を境に線対称となった左右一対の平板状の部材であり、曲げ剛性を高めるため長手方向に沿って折り曲げられて凹凸が形成されている。
【００３３】
本実施形態に係るスラブ支持部２では、図４等に示すように、曲げ剛性を高める凹凸として、第１スラブ支持部２１と第２スラブ支持部２２のいずれにも断面台形状の凸条である山形リブ２３が二本ずつ形成されている。
【００３４】
このため、デッキプレート１上に打設されたコンクリートの強度が発現するまでの施工時の型枠としてのデッキプレート１の強度計算において、デッキプレート１の長手方向に直交する図４の鉛直断面の全断面積が有効として算定することができる。結果的に、必要強度に比してデッキプレートの厚さを薄くすることができ、輸送費を含めデッキプレート１の設置費用を低減することができる。
【００３５】
勿論、スラブ支持部２に設ける凹凸として、断面台形状の凸条である山形リブ２３を例示したが、断面三角形状や多角形状の凸条でもよい。即ち、スラブ支持部２に設ける凹凸は、曲げ剛性を高めるため長手方向に沿って折り曲げられる凹凸であれば、他の形状からなる凸条、凹条のリブでも構わない。
【００３６】
（補強リブ）
補強リブ３は、図４等に示すように、スラブ支持部２の片面中央（第１スラブ支持部２１と第２スラブ支持部２２の間）に上方に向け垂設され、２枚の平板状の鋼板が重なり合った立上部３０と、この立上部３０の先端に形成された断面三角形状の補強部３１など、から構成されており、スラブ支持部２の長手方向に対する曲げ剛性を向上する機能を有している。
【００３７】
図７は、デッキプレートの補強リブを中間省略して示す側面図である。図７及び図１，２に示すように、この補強部３１は、長手方向の両端部３１ａが、移行部３１ｂ（図５も参照）を経て徐々に上方から押し潰されて、図６に示すように、断面Ｙ字状に閉塞されている。このため、補強リブ３の閉塞部分である両端部３１ａにおいても、曲げ応力に対して有利な中立軸からの距離が低減されることのないＹ字状の形状を保持したままであり、閉塞部分の断面係数などの断面性能が殆ど低下することがない。
【００３８】
その上、閉塞された両端部３１ａで打設時にデッキプレート１の長手方向の端部から補強部３１に入り込んだフレッシュコンクリートが立上部３０の２枚の鋼板の間伝いにデッキプレート１の下面から漏れ出すのを防ぐことができる。よって、補強リブ３の端部には、小口塞ぎようの別部材を取り付ける必要がなく、従来と比べて小口塞ぎの作業手間と部材数量を低減することができる。
【００３９】
なお、打設時にフレッシュコンクリートが補強部３１に入り込まないようにするためなので、補強部３１が押し潰されている範囲は、移行部３１ｂを含めて、両端部３１ａの端から水平距離で７０ｍｍ以内の範囲だけで充分である。また、補強部３１を押し潰す範囲が１００ｍｍを超えると補強部３１の端部の剛性が低下する範囲が増えるため好ましくない。よって、補強部３１を押し潰す範囲は、１００ｍｍ以下であることが好ましく、７０ｍｍ以下であればさらに好ましい。また、現状補強部３１を押し潰せる範囲の下限値は、５０ｍｍ以上である。
【００４０】
（第１係合リブ）
一対の係合リブのうち図４に示す左側の係合リブである第１係合リブ４は、スラブ支持部２の面外方向である第１スラブ支持部２１の面に対して垂直に立ち上がる平板状の第１ウェブ部４０と、この第１ウェブ部４０の先端から内側（補強リブ３側、以下同じ）上方に向け傾斜して立ち上がる立上傾斜部４１（ウェブ部）と、この立上傾斜部４１の先端から水平に連続する第１フランジ部４２と、この第１フランジ部４２の先端から下方に傾斜する係合傾斜部４３と、この係合傾斜部４３の先端から係合傾斜部４３と逆方向に傾斜する案内傾斜部４４など、から構成されている。
【００４１】
この第１係合リブ４は、隣接する他のデッキプレート１の第２係合リブ５と係合してデッキプレート１同士を連結する機能を有している。
【００４２】
図８は、デッキプレートを示す側面図である。図８等に示すように、この第１ウェブ部４０には、幅８ｍｍで全長が４０ｍｍの平板面から内側へ突出する複数のエンボス４５が所定の間隔をおいて平行に並んで形成されている。このエンボス４５は、水平視で上下に傾斜する長孔状の凸条となっており、デッキプレート１とその内側に打設されたコンクリートとが両者の界面でずれることを防止する機能を有している。このように、エンボス４５の凸条が、上下に傾斜しているため、１種類のエンボスで、上下方向、水平方向のいずれの方向にもずれること防止することができる。
【００４３】
なお、第１ウェブ部４０、立上傾斜部４１、第１フランジ部４２、係合傾斜部４３、案内傾斜部４４の各部の接合部となる角は、全て曲面加工され折り曲げられ、丸面角となっている。
【００４４】
また、本発明に係るデッキプレートでは、ウェブ部の一部である立上傾斜部４１は、傾斜せず第１ウェブ部４０と同一平面上で連続していても構わないし、フランジ部の一部である案内傾斜部４４もなくてもよい。但し、デッキプレート１のように、フランジ部の折り返し部である係合傾斜部４３を設けた方が好ましい。フランジ部の折り返し部である係合傾斜部４３があれば、一方のデッキプレートを持ち上げてデッキプレート同士を互いに係合させることが可能となるからである。
【００４５】
（第２係合リブ）
一対の係合リブのうち図４に示す右側の係合リブである第２係合リブ５は、スラブ支持部２の面外方向である第２スラブ支持部２２の面に対して垂直に立ち上がる平板状の第２ウェブ部５０と、この第２ウェブ部５０の先端から内側上方に向け傾斜して立ち上がる乗り越え傾斜部５１と、この乗り越え傾斜部５１の先端から下方に傾斜する押圧傾斜部５２など、から構成されている。
【００４６】
また、乗り越え傾斜部５１の傾斜高さは、係合傾斜部４３と案内傾斜部４４の傾斜高さより高く、且つ、乗り越え傾斜部５１の傾斜角度は、係合傾斜部４３と案内傾斜部４４の傾斜角度と相違してこれらの傾斜角度より緩くなっている。このため、デッキプレート１を載置した鋼材等の上を水平方向にスライド移動させた際に、乗り越え傾斜部５１が係合傾斜部４３及び案内傾斜部４４を容易に乗り越えて第２係合リブ５と他のデッキプレートの第１係合リブとが係合し易くなっている。
【００４７】
その上、押圧傾斜部５２の傾斜は、係合傾斜部４３と同一方向に略同角度で傾斜している。このため、第２係合リブ５と他のデッキプレートの第１係合リブとが係合した際に、デッキプレート１の自重により係合傾斜部４３及び押圧傾斜部５２の傾斜で第２係合リブ５と他のデッキプレート１の第１係合リブとが押圧される方向に荷重が掛かり、デッキプレート１同士をピッタリ係合させることができる。よって、コンクリート打設時のノロ漏れによりセメント成分が硬化してデッキプレートの下面に剥離困難な汚れが付着してしまうことを防止することができる。
【００４８】
なお、図２等に示すように、第２ウェブ部５０には、エンボス４５と同様に、幅８ｍｍで全長が４０ｍｍの平板面から内側へ突出する複数のエンボス５３が所定の間隔をおいて平行に並んで形成されている。このエンボス５３は、図２に示すように、エンボス４５と逆方向の上下に傾斜する長孔状の凸条となっており、デッキプレート１とその内側に打設されたコンクリートとが両者の界面でずれることを防止する機能を有している。また、エンボス５３とエンボス４５の傾斜が逆方向となっているため、一体となって界面でずれることを防止するコンクリートとの合成効果がさらに高くなっている。
【００４９】
各図に示すように、第１係合リブ４と同様に、第２係合リブ５の第２ウェブ部５０、乗り越え傾斜部５１、押圧傾斜部５２の各部の接合部となる角も、全て曲面加工され折り曲げられ、丸面角となっている。
【００５０】
ここで、本発明に係るデッキプレートでは、フランジ部の一部である乗り越え傾斜部５１は、傾斜しておらず水平となっていてもよい。但し、デッキプレート１のように、フランジ部の折り返し部である押圧傾斜部５２を設けた方が好ましい。短手方向にずれること防止することができるからである。
【００５１】
［第２実施形態］
次に、図１０〜図１４を用いて、本発明の第２実施形態に係るデッキプレートについて説明する。本発明の第２実施形態に係るデッキプレート１’が前述の第１実施形態に係るデッキプレート１と相違する点は、係合リブが無くなり補強リブや係合爪となっている点である。そのため、その相違点について主に説明し、同一構成は同一符号を付し説明を省略する。
【００５２】
図１０は、本発明の第２実施形態に係るデッキプレート１’を示す斜視図であり、図１１は、そのデッキプレート１’の長手方向の一端部を拡大して示す部分拡大斜視図である。また、図１２は、図１０のＤ−Ｄ線端面図であり、図１３は、デッキプレート１’を端部から長手方向に沿って見た正面図である。
【００５３】
本実施形態に係るデッキプレート１’は、デッキプレート１と同様に、溶融亜鉛めっき鋼板からロール成形等により折り曲げられて長方形状に成形されたコンクリートスラブ用の合成デッキプレートである。このデッキプレート１’は、図１０〜図１３に示すように、コンクリートスラブの下面を支持する長方形平板状のスラブ支持部２’と、このスラブ支持部２’の片面から垂直に長手方向に沿って突設された前述の補強リブ３と、スラブ支持部２’の長手両側の縁に沿って形成された互いに係合し合う左右一対の係合爪４’，５’など、から構成されている。
【００５４】
（スラブ支持部）
図１０〜図１４に示すように、このデッキプレート１’は、スラブ支持部２’の中央と左縁にそれぞれ前述の補強リブ３が２条突設されており、中央の補強リブ３を境に第１スラブ支持部２１’と、第２スラブ支持部２２’に分割されている。勿論、スラブ支持部２’が補強リブ３を境に３以上に分割されていてもよい。
【００５５】
図１２，図１３に示すように、スラブ支持部２’は、第１スラブ支持部２１’と第２スラブ支持部２２’とが、中央の補強リブ３を境に線対称となった左右一対の平板状の部材であり、曲げ剛性を高めるため長手方向に沿って折り曲げられて凹凸が形成されている。
【００５６】
本実施形態に係るスラブ支持部２’では、図１２等に示すように、曲げ剛性を高める凹凸として、第１スラブ支持部２１’と第２スラブ支持部２２’のいずれにも断面逆台形状（蟻足状）の凸条である蟻足リブ２３’が一本ずつ形成されている。
【００５７】
勿論、スラブ支持部２’に設ける凹凸として、断面逆台形状の凸条である蟻足リブ２３’を例示したが、断面三角形状や多角形状の凸条でもよい。即ち、スラブ支持部２’に設ける凹凸は、曲げ剛性を高めるため長手方向に沿って折り曲げられる凹凸であれば、他の形状からなる凸条又は凹条のリブでも構わない。
【００５８】
（補強リブ）
補強リブ３は、立上部３０と、補強部３１など、から構成されており、スラブ支持部２’の長手方向に対する曲げ剛性を向上する機能を有した前述の補強リブ３である（図１０〜図１３参照）。デッキプレート１’が、デッキプレート１と相違するのは、スラブ支持部２の左端（左縁）に形成された第１係合リブ４が、補強リブ３となり、その代わりに立上部３０の脇に係合爪４’が形成されている点である。
【００５９】
この補強リブ３は、いずれの補強リブ３も、デッキプレート１の補強リブ３と同様に、長手方向の両端部３１ａが、移行部３１ｂを経て徐々に上方から押し潰されて断面Ｙ字状に閉塞されている（図１０，図１１，図１３参照）。このため、閉塞部分の断面係数などの断面性能が殆ど低下することがない。
【００６０】
その上、閉塞された両端部３１ａで打設時にデッキプレート１’の長手方向の端部から補強部３１に入り込んだフレッシュコンクリートが立上部３０の２枚の鋼板の間伝いにデッキプレート１の下面から漏れ出すのを完全に防ぐことができる。よって、補強リブ３の端部だけでなく、デッキプレート１’の端部には、小口塞ぎようの別部材を取り付ける必要がなくなる。このため、第１実施形態に係るデッキプレート１と比べても小口塞ぎの作業手間を無くすことができる。
【００６１】
（係合爪）
図１１，図１２に示すように、スラブ支持部２’の左端の縁沿いには、上方が開放された鉤爪状の第１係合爪４’が形成され、スラブ支持部２’の右端の縁沿いには、下方が開放された鉤爪状の第２係合爪５’が形成されている。
【００６２】
図１４は、隣接するデッキプレート１’同士を連結する係合爪４’，５’の係合部分を拡大して示す部分拡大断面図である。図１４に示すように、これらの第１係合爪４’と隣接する第２係合爪５’は、互いに係合してデッキプレート１’同士を左右に連結する機能を有している。このため、係合爪同士を簡単に係合させて溶接やカシメなどの固定する作業は不要となる。
【００６３】
なお、本実施形態に係るデッキプレート１’では、図１４等に示すように、２枚の鋼板が重なる立上部３０には、ロール成形時に補強リブ３の成形とエンボス加工を同時にできないため、デッキプレート１と相違してエンボス４５やエンボス５３は形成されていない。勿論、別工程としてエンボス加工を施すことも可能である。
【００６４】
＜実施形態に係るデッキプレートの製造方法＞
次に、本発明の実施形態に係るデッキプレートの製造方法を説明する。前述のデッキプレート１を製造する場合を例示して説明する。なお、本実施形態に係るデッキプレートの製造方法が、従来のデッキプレートの製造方法と相違する点は、補強リブ３のエンドクローズ加工をする点だけなので、その点を中心に説明し、他の工程の説明は省略する。
【００６５】
本実施形態に係るデッキプレートの製造方法では、従来の製造方法と同様に、０．８ｍｍ〜１．６ｍｍ程度の薄鋼板からロール成形により折り曲げ加工して、補強リブ３、第１係合リブ４、第２係合リブ５（デッキプレート１’の場合係合爪４’，５’）などを形成する補強リブ形成工程である折曲工程を行う。
【００６６】
そして、本工程では、同時に係合リブ（第１係合リブ４及び第２係合リブ５）にエンボス４５，エンボス５３、及びスラブ支持部２に山形リブ２３（デッキプレート１’の場合蟻足リブ２３’）もロール成形により形成する。勿論、この工程は、折曲工程の前後に別工程とすことも可能である。なお、デッキプレート１’の場合は、エンボス加工は行わない。
【００６７】
次に、本実施形態に係るデッキプレートの製造方法では、デッキプレートを平面視で長方形状の所定の長さに切断する切断工程を行う。
【００６８】
本工程では、油圧のプレス動作で上下動する切断刃でデッキプレートを切断する。このとき、切断のプレス動作と同時に、油圧で上下動する切断刃が装着されたブロックに取り付けた治具により、前述の補強部３１の両端部３１ａ付近を押圧して補強リブ３の長手方向の端部のみをＹ字状に閉塞する（図２，図６，図１１，図１３等参照）。
【００６９】
このため、打設時に補強リブ３の長手方向の端部からコンクリートが漏れ出すのを防ぐことができるデッキプレート１を製造することができる。また、従来のフラットデッキの場合のエンドクローズ加工と相違して、エンドクローズ加工のためのプレス動作が必要なくなり、デッキプレートの製造時間を短縮して製造コストを低減することができる。
【００７０】
その上、前述のように、補強部３１を押し潰す範囲は、移行部３１ｂを含めて、両端部３１ａの端から水平距離で５０ｍｍ以上で１００ｍｍ以内、好ましくは７０ｍｍ以内の範囲のみである。このため、補強リブ３の断面性能は、ほとんど低下することはない。
【００７１】
＜実施形態に係るデッキプレートの作用効果＞
以上説明した本発明の第１実施形態に係るデッキプレート１、第２実施形態に係るデッキプレート１’、及びその製造方法によれば、小口塞ぎ部材の設置箇所や部品点数を低減して打設時にデッキプレートの長手方向の端部からコンクリートが漏れ出すのを防ぐことができる。特に、第２実施形態に係るデッキプレート１’によれば、従来の小口塞ぎ部材のようなコンクリートが漏れ出すのを防ぐための別部材を全く取り付ける必要がなくなる。このため、デッキプレート１，１’の材料コスト及びデッキプレートの施工コストを低減することができる。
【００７２】
それに加え、従来のフラットデッキのように、広範囲に亘って補強リブ３を押し潰す必要がない。このため、デッキプレート１，１’の長手方向の端部付近の剛性を確保して、デッキプレート１，１’の断面性能の低下を極力抑えることができる。
【００７３】
また、デッキプレート１によれば、デッキプレート１同士の連結がデッキプレート１を持ち上げることなく水平にスライドさせるだけで容易に行える。このため、デッキプレート１同士を溶接やカシメなどの固定する作業が不要となる。また、デッキプレート１’であっても係合爪同士を簡単に係合させて溶接やカシメなどの固定する作業は不要である。
【００７４】
そして、デッキプレート１によれば、係合傾斜部４３の斜面と押圧傾斜部５２の斜面とが、同一方向に略同角度で傾斜するように形成されている。このため、係合させるデッキプレート１同士が互いに押圧される結果となり、コンクリート打設時のノロ漏れによりセメント成分が硬化してデッキプレートの下面に剥離困難な汚れが付着してしまうことを防止することができる。
【００７５】
それに加え、デッキプレート１，１’によれば、スラブ支持部２，２’の平板面に断面台形状の山形リブ２３や断面逆台形状の蟻足リブ２３’が形成されているので、スラブ支持部２，２’の曲げ剛性が向上する。よって、デッキプレート上に打設されたコンクリートの強度が発現するまでの施工時の型枠としてのデッキプレートの強度計算において、デッキプレートの長手方向に直交する鉛直断面の全断面積が有効として算定することができる。このため、結果的に、必要強度に比してデッキプレートの厚さを薄くすることができ、輸送費を含めデッキプレートの設置費用を低減することができる。
【００７６】
さらに、デッキプレート１には、エンボス４５とエンボス５３が形成されているので、デッキプレート１とその内側に打設されたコンクリートとが両者の界面でずれることを防止することができる。
【００７７】
以上、本発明の実施形態に係るデッキプレート及びその製造方法について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【００７８】
特に、デッキプレートをＨ形鋼などの形鋼間に架け渡す場合を例示して説明したが、デッキプレートを基礎等の木製型枠などの型枠間に架け渡してもよいことは云うまでもない。また、デッキプレートの補強リブの両端部が閉塞されたものを例示したが、外壁に面するスラブなど、一端が閉塞されていればよく、必ずしも両端部が閉塞されている必要はない。
【符号の説明】
【００７９】
１，１’：デッキプレート
２，２’：スラブ支持部
２１，２１’：第１スラブ支持部
２２，２１’：第２スラブ支持部
２３：山形リブ
２３’：蟻足リブ
３：補強リブ
３０：立上部
３１：補強部
３１ａ：両端部
３１ｂ：移行部
４：第１係合リブ
４０：第１ウェブ部
４１：立上傾斜部
４２：第１フランジ部
４３：係合傾斜部（折り返し部）
４４：案内傾斜部
４５：エンボス
４’：第１係合爪（係合爪）
５：第２係合リブ
５０：第２ウェブ部
５１：乗り超え傾斜部
５２：押圧傾斜部（折り返し部）
５３：エンボス
５’：第２係合爪（係合爪）
Ｈ：Ｈ形鋼（形鋼）
【図１】
2019116766.tif 000003
【図２】
2019116766.tif 000004
【図３】
2019116766.tif 000005
【図４】
2019116766.tif 000006
【図５】
2019116766.tif 000007
【図６】
2019116766.tif 000008
【図７】
2019116766.tif 000009
【図８】
2019116766.tif 000010
【図９】
2019116766.tif 000011
【図１０】
2019116766.tif 000012
【図１１】
2019116766.tif 000013
【図１２】
2019116766.tif 000014
【図１３】
2019116766.tif 000015
【図１４】
2019116766.tif 000016
【図１５】
2019116766.tif 000017
【図１６】
2019116766.tif 000018